(57)【特許請求の範囲】
【請求項１】
管理対象者の住宅の水道メータと、該水道メータから水道使用データを入力して管理するサーバと、該サーバから該管理対象者の健康管理情報を受信する情報受信者の端末と、がネットワークを介して接続され、
該サーバは、該水道使用データに基づいて該管理対象者の排泄、入浴を判断して、該管理対象者の健康状態を管理する健康管理システムであって、
水道水の吐水開始から終了までの時間が第１下限時間以上、第１上限時間以下であり、かつ、水道水の吐水開始から終了までの積算吐水量が第１下限吐水量以上、第１上限吐水量以下である場合に排泄と判断し、
水道水の吐水開始から終了までの時間が第２下限時間以上、第２上限時間以下であり、かつ、水道水の吐水開始から終了までの積算吐水量が第２下限吐水量以上、第２上限吐水量以下である場合に入浴と判断し、
該第２下限時間は該第１上限時間より大きく、かつ、該第２下限吐水量は該第１上限吐水量より大きいことを特徴とする健康管理システム。
【請求項２】
前記第１下限時間は１秒であり、前記第１上限時間は６０秒であり、前記第１下限吐水量は２リットルであり、前記第１上限吐水量は１５リットルであり、
前記第２下限時間は４分であり、前記第２上限時間は３０分であり、前記第２下限吐水量は１００リットルであり、前記第２上限吐水量は３００リットルであることを特徴とする請求項１記載の健康管理システム。
【請求項３】
第１基準時刻から監視して、最初の水道水の吐水開始時刻を前記管理対象者の起床時刻と判断し、
第２基準時刻から監視して、水道水の吐出終了時刻から吐水されることなく所定時間以上経過した場合、該吐出終了時刻を該管理対象者の就寝時刻と判断することを特徴とする請求項１又は２記載の健康管理システム。
【請求項４】
前記第１基準時刻は４時０分から８時０分までの間の時刻であり、前記第２基準時刻は２０時０分から２４時０分までの間の時刻であり、前記所定時間は１時間以上、３時間以下であることを特徴とする請求項３記載の健康管理システム。
【請求項５】
前記サーバは、前記管理対象者の入浴の回数と時間帯、排泄の回数と時間帯、起床時刻、及び就寝時刻の変化の有無に基づくメッセージを前記情報受信者の端末に送信することを特徴とする請求項３又は４記載の健康管理システム。
【発明の詳細な説明】
【技術分野】
【０００１】
本発明は、水道使用データに基づいて管理対象者の健康状態を管理する健康管理システムに関する。
【背景技術】
【０００２】
従来、水道使用データに基づいて管理対象者の健康状態を管理する健康管理システムとして、特許文献１に記載されたものが知られている。この健康管理システムでは、所定時間の水の使用量から未使用（水の使用量がほとんどない）、一定流量（水の使用量が一定である）、及び超過流量（水の使用量が普通では考えられないほどの多量である）がチェックされる。そして、これらのいずれかが検知された場合、管理対象者に異変が起きたものと判断されて、生活異変情報が出力されるようになっている。
【０００３】
この健康管理システムによれば、所定時間の水の使用量に異常があった場合、生活異変情報が出力されるため、管理対象者の異変にいち早く気づくことができ、大きな事故にまで発展する前に危険を防止できるきっかけとすることができる。
【先行技術文献】
【特許文献】
【０００４】
【特許文献１】特公平７−６９９９５号公報
【発明の概要】
【発明が解決しようとする課題】
【０００５】
しかし、上記特許文献１記載の健康管理システムでは、未使用（水の使用量がほとんどない）、一定流量（水の使用量が一定である）、及び超過流量（水の使用量が普通では考えられないほどの多量である）のチェックから管理対象者の異変を判断することができるものの、異変に至る前の生活リズムの乱れや病気の前兆等を発見して、管理対象者の健康管理をきめ細やかに行うことはできない。
【０００６】
ここで、管理対象者のトイレの使用（排泄）時刻と回数、及び風呂の使用（入浴）時刻と回数を知ることができれば、健康管理をきめ細やかに行うことができる。しかしながら、トイレや風呂のドアにセンサを取り付けて排泄や入浴を検知しようとすると、異なる場所に複数のセンサを取り付けなければならず面倒である上、メインテナンスも困難である。この点、水道メータを利用することができれば便利である。そこで、発明者は真摯に研究し、水道使用データと排泄、及び入浴との間に関連性があることを発見し、本発明をするに至った。
【０００７】
本発明はかかる従来の問題点に鑑みてなされたものであり、水道使用データに基づいて管理対象者の健康管理をきめ細やかに行うことのできる健康管理システムを提供するものである。
【課題を解決するための手段】
【０００８】
上記の課題を解決するために、請求項１に係る健康管理システムの特徴は、管理対象者の住宅の水道メータと、該水道メータから水道使用データを入力して管理するサーバと、該サーバから該管理対象者の健康管理情報を受信する情報受信者の端末と、がネットワークを介して接続され、該サーバは、該水道使用データに基づいて該管理対象者の排泄、入浴を判断して、該管理対象者の健康状態を管理する健康管理システムであって、水道水の吐水開始から終了までの時間が第１下限時間以上、第１上限時間以下であり、かつ、水道水の吐水開始から終了までの流量が第１下限吐水量以上、第１上限吐水量以下である場合に排泄と判断し、水道水の吐水開始から終了までの時間が第２下限時間以上、第２上限時間以下であり、かつ、水道水の吐水開始から終了までの流量が第２下限吐水量以上、第２上限吐水量以下である場合に入浴と判断し、該第２下限時間は該第１上限時間より大きく、かつ、該第２下限吐水量は該第１上限吐水量より大きいことである。
【０００９】
請求項２に係る健康管理システムの特徴は、前記第１下限時間は１秒であり、前記第１上限時間は６０秒であり、前記第１下限吐水量は２リットルであり、前記第１上限吐水量は１５リットルであり、前記第２下限時間は４分であり、前記第２上限時間は３０分であり、前記第２下限吐水量は１００リットルであり、前記第２上限吐水量は３００リットルであることである。
【００１０】
請求項３に係る健康管理システムの特徴は、第１基準時刻から監視して、最初の水道水の吐水開始時刻を前記管理対象者の起床時刻と判断し、第２基準時刻から監視して、水道水の吐出終了時刻から吐水されることなく所定時間以上経過した場合、該吐出終了時刻を該管理対象者の就寝時刻と判断することである。
【００１１】
請求項４に係る健康管理システムの特徴は、前記第１基準時刻は４時０分から８時０分までの間の時刻であり、前記第２基準時刻は２０時０分から２４時０分までの間の時刻であり、前記所定時間は１時間以上、３時間以下であることである。
【００１２】
請求項５に係る健康管理システムの特徴は、前記サーバは、前記管理対象者の入浴の回数と時間帯、排泄の回数と時間帯、起床時刻、及び就寝時刻の変化の有無に基づくメッセージを前記情報受信者の端末に送信することである。
【発明の効果】
【００１３】
請求項１に係る健康管理システムでは、水道水の吐水開始から終了までの時間が第１下限時間以上、第１上限時間以下であり、かつ、水道水の吐水開始から終了までの積算吐水量が第１下限吐水量以上、第１上限吐水量以下である場合、排泄と判断される。また、水道水の吐水開始から終了までの時間が第２下限時間以上、第２上限時間以下であり、かつ、水道水の吐水開始から終了までの積算吐水量が第２下限吐水量以上、第２上限吐水量以下である場合、入浴と判断される。そして、第２下限時間は第１上限時間より大きく、かつ、第２下限吐水量は第１上限吐水量より大きくなっている。これにより、管理対象者の水道使用データから管理対象者の排泄、入浴がサーバにより確実に検知される。そのため、サーバは、管理対象者の排泄や入浴の時間帯や回数の変化を知ることができ、きめ細やかな健康管理情報を作成することができる。さらに、記憶されている管理対象者の持病や健康状態を参考にすれば、個人個人に対応したきめ細やかな健康管理情報を作成することができる。そして、情報受信者は、この健康管理情報をサーバから受信することができ、管理対象者の健康状態を詳しく知ることができる。したがって、この健康管理システムによれば、水道使用データに基づいて管理対象者の健康管理をきめ細やかに行うことができる。また、この健康管理システムでは、水道メータを利用して排泄や入浴を検知しているため、トイレや風呂のドアにセンサを取り付ける必要がなく、簡単で便利である。なお、管理対象者の持病や健康状態は書き換え可能にすることが望ましい。
【００１４】
請求項２に係る健康管理システムでは、第１下限時間を１秒、第１上限時間を６０秒、第１下限吐水量を２リットル、第１上限吐水量を１５リットル、第２下限時間を４分、第２上限時間を３０分、第２下限吐水量を１００リットル、第２上限吐水量を３００リットルとしている。発明者の研究によれば、排泄、入浴のために水道水が連続して使用されている時間と積算吐水量とは上記の範囲内に入っているため、確実に排泄と入浴との区別をすることができる。なお、発明者の研究により、排泄、入浴のために水道水が連続して使用されている時間、及び積算吐水量は、炊事、洗濯等、その他の生活活動のために水道水が連続して使用されている時間、及び積算吐水量と異なることが明確になっている。
【００１５】
請求項３に係る健康管理システムでは、第１基準時刻から監視して、最初の水道水の吐水開始時刻を管理対象者の起床時刻と判断され、第２基準時刻から監視して、水道水の吐出終了時刻から吐水されることなく所定時間以上経過した場合、吐出終了時刻を管理対象者の就寝時刻と判断される。これにより、起床時刻、就寝時刻の変化や夜中の排泄回数の変化等を知ることができ、よりきめ細やかな健康管理を行うことができる。
【００１６】
請求項４に係る健康管理システムでは、第１基準時刻を４時０分から８時０分までの間の時刻、第２基準時刻を２０時０分から２４時０分までの間の時刻、所定時間を１時間以上、３時間以下としている。発明者の研究によれば、これらの時刻、時間を基準とすれば、多くの人の起床時刻、就寝時刻の判断が可能である。ただし、起床時刻、就寝時刻は個人差があるため、第１基準時刻、第２基準時刻、所定時間の書き換えを可能にすることが望ましい。
【００１７】
請求項５に係る健康管理システムでは、サーバにより、管理対象者の入浴の回数と時間帯、排泄の回数と時間帯、起床時刻、及び就寝時刻の変化の有無に基づくメッセージを情報受信者の端末に送信される。そのため、情報受信者は、管理対象者の健康状態を詳しく知ることができる。
【図面の簡単な説明】
【００１８】
【図１】実施形態の健康管理システムのシステム構成図。
【図２】実施形態の健康管理システムに係り、水道使用状況を示す図。
【図３】実施形態の健康管理システムに係り、排泄の吐水開始から終了までの時間と積算吐水量との関係を示す図。
【図４】実施形態の健康管理システムに係り、入浴の吐水開始から終了までの時間と積算吐水量との関係を示す図。
【図５】実施形態の健康管理システムに係り、起床時刻を判断、処理するプログラムのフローチャート。
【図６】実施形態の健康管理システムに係り、就寝時刻を判断、処理するプログラムのフローチャート。
【図７】実施形態の健康管理システムに係り、排泄、及び入浴を判断、処理するプログラムのフローチャート。
【図８】実施形態の健康管理システムに係り、メッセージを作成、送信するプログラムのフローチャート。
【発明を実施するための形態】
【００１９】
本発明に係る健康管理システムを具体化した実施形態を図面に基づいて以下に説明する。図１は、この健康管理システムのシステム構成図である。この健康管理システムでは、管理対象者１の住宅の水道メータ２と、システム運営者４のサーバ５とがネットワークＮ１に接続されている。また、サーバ５と情報受信者７の端末８とがネットワークＮ２に接続されている。ここで、ネットワークＮ１、Ｎ２には、インターネットの他、移動通信システム等のネットワークも含まれる。
【００２０】
管理対象者１の住宅の水道メータ２には図示しない通信端末が接続されている。この通信端末は、水道水の使用量をサーバ５が処理可能なデジタル信号である水道使用データに変換し、サーバ５に送信する働きをしている。水道使用データの送信方法としては、一定時間毎に、一定時間内に使用した水道水の使用量をサーバ５に送信する方法を採用している。本実施形態においては一定時間を１０秒としているが、これと異なる時間を採用することもできる。
【００２１】
システム運営者４は、この健康管理システムを保守管理して運営する者である。システム運営者４は、同時に、健康管理サービスを提供する健康管理サービス提供者である場合もある。このシステム運営者４のサーバ５により、水道メータ２から水道使用データが入力され処理されて、管理対象者１の健康が管理される。また、情報受信者７は管理対象者１の親族、健康管理サービス提供者等である。情報受信者７は、管理対象者１の健康管理情報を端末８によりサーバ５から受信することができる。また、情報受信者７は、管理対象者１の健康情報等の書き換えを端末８によりサーバ５に対して要求することができる。ただし、健康情報等の書き換えは、システム管理者４が行う。この健康情報には、管理対象者１の持病や健康状態等が含まれる。なお、端末８には、パーソナルコンピュータ、タブレット、スマートフォン、携帯電話等が含まれる。
【００２２】
図２（１）、（２）は、水道使用状況の一部を示す図である。図２（１）のグラフは、横軸が時刻、縦軸が１分当たりの吐水量（Ｌ／分）である。Ｓ１が排泄、Ｓ２が洗顔と歯磨き、Ｓ３が入浴、Ｓ４が飲水、Ｓ５が歯磨きを表している。図２（１）において、排泄Ｓ１と入浴Ｓ３とは蛇口が全開であり、洗顔と歯磨きＳ２、飲水Ｓ４、及び歯磨きＳ５は蛇口が全開でないことが、１分当たりの吐水量（Ｌ／分）の違いに表れている。なお、排泄Ｓ１には大便と小便の両方が含まれる。
【００２３】
また、第１基準時刻ＳＴ１から監視して、初めて水道水の吐水が開始された時刻が管理対象者１の起床時刻とされる。本実施形態においては、第１基準時刻ＳＴ１は５時０分である。そのため、管理対象者１の起床時刻は、５時０分以降、初めて水道水の吐水が開始された時刻である６時３０分と判断される。さらに、第２基準時刻ＳＴ２から監視して、水道水の吐出終了時刻から吐水されることなく所定時間ＤＴ１以上経過した場合、この吐出終了時刻が管理対象者１の就寝時刻とされる。本実施形態においては、第２基準時刻ＳＴ２は２０時０分であり、所定時間ＤＴ１は２時間である。そのため、就寝時刻の監視は、２０時０分から開始される。そして、吐水が終了された時刻から水道水が使用されることなく２時間以上が経過している排泄Ｓ１の吐水終了時刻である２２時０分が管理対象者１の就寝時刻と判断される。なお、第１基準時刻ＳＴ１、第２基準時刻ＳＴ２、及び所定時間ＤＴ１については、管理対象者１の生活リズムの違いにより異なる場合もあるため、システム運営者４により書き換え可能である。
【００２４】
図２（２）のグラフは、横軸が時刻、縦軸が吐水開始から終了までの積算吐水量（Ｌ）である。ただし、吐水されていない場合は、積算吐水量（Ｌ）を０として表している。Ｓ１０が排泄Ｓ１の積算吐水量、Ｓ２０が洗顔と歯磨きＳ２の積算吐水量、Ｓ３０が入浴Ｓ３の積算吐水量、Ｓ４０が飲水Ｓ４の積算吐水量、Ｓ５０が歯磨きＳ５の積算吐水量を表している。これにより、吐水開始から終了までの積算吐水量（Ｌ）を比較すれば、排泄Ｓ１と入浴Ｓ３とが区別されることが分かる。また、排泄Ｓ１、及び入浴Ｓ３は、洗顔と歯磨きＳ２、飲水４、歯磨きＳ５とも区別されることが分かる。
【００２５】
次に、吐水開始から終了までの時間と積算吐水量とにより、排泄Ｓ１、及び入浴Ｓ３と判断する方法について、図３、図４を用いて詳細に説明する。図３は、排泄Ｓ１のグラフである。横軸が吐水開始からの時間（秒）、縦軸が積算吐水量（Ｌ）を表している。ただし、吐水されていない場合は、積算吐水量（Ｌ）を０として表している。排泄Ｓ１の吐水が開始されると、直ちに蛇口が全開されて徐々に積算吐水量が増加し、時間Ｔ１後に積算吐水量はＶ１に達する。時間Ｔ１が水道水の吐水開始から終了までの時間である。前述のように、本実施形態においては、サーバ５は水道メータ２より１０秒毎に、その１０秒間の吐水量を受信することにより、時間Ｔ１、及び積算吐水量Ｖ１を検知している。
【００２６】
ここで、発明者の研究によると、排泄の場合の吐水開始から終了までの時間は、第１下限時間Ｔ１Ｌである１秒以上、第１上限時間Ｔ１Ｕである６０秒以下であり、その間の積算吐水量は、第１下限吐水量Ｖ１Ｌである２リットル以上、第１上限吐水量Ｖ１Ｕである１５リットル以下であることが判明している。したがって、水道水の吐水開始から終了までの時間Ｔ１が１秒以上、６０秒以下であり、かつ、水道水の吐水開始から終了までの積算吐水量Ｖ１が２リットル以上、１５リットル以下である場合に排泄と判断される。なお、第１下限時間Ｔ１Ｌ、第１上限時間Ｔ１Ｕ、第１下限吐水量Ｖ１Ｌ、及び第１上限吐水量Ｖ１Ｕは、地域による水圧の違い等を考慮して、システム運営者４により書き換え可能である。この場合、例えば、水圧が低く単位時間当たりの吐水量が少ないために第１下限時間Ｔ１Ｌ、第１上限時間Ｔ１Ｕを大きな値に書き換えたとしても、他の生活活動のための単位時間当たりの吐水量も同様に少なくなるため、問題を生じることはない。
【００２７】
図４は、入浴Ｓ３のグラフである。横軸が吐水開始からの時間（分）、縦軸が積算吐水量（Ｌ）を表している。ただし、吐水されていない場合は、積算吐水量（Ｌ）を０として表している。入浴Ｓ３の吐水が開始されると、直ちに蛇口が全開されて徐々に積算吐水量が増加し、時間Ｔ２後に積算吐水量はＶ２に達する。時間Ｔ２が水道水の吐水開始から終了までの時間である。排泄の場合と同様、サーバ５は水道メータ２より１０秒毎に、その１０秒間の吐水量を受信することにより、時間Ｔ２、及び積算吐水量Ｖ２を検知している。
【００２８】
ここで、発明者の研究によると、入浴の場合の吐水開始から終了までの時間は、第２下限時間Ｔ２Ｌである４分以上、第２上限時間Ｔ２Ｕである３０分以下であり、その間の積算吐水量は、第２下限吐水量Ｖ２Ｌである１００リットル以上、第２上限吐水量Ｖ２Ｕである３００リットル以下であることが判明している。したがって、水道水の吐水開始から終了までの時間Ｔ２が４分以上、３０分以下であり、かつ、積水道水の吐水開始から終了までの積算吐水量Ｖ２が１００リットル以上、３００リットル以下である場合に入浴と判断される。なお、第２下限時間Ｔ２Ｌ、第２上限時間Ｔ２Ｕ、第２下限吐水量Ｖ２Ｌ、及び第２上限吐水量Ｖ２Ｕは、地域による水圧の違い等を考慮して、システム運営者４により書き換え可能である。この場合、例えば、水圧が低く単位時間当たりの吐水量が少ないために第２下限時間Ｔ２Ｌ、第２上限時間Ｔ２Ｕを大きな値に書き換えたとしても、他の生活活動のための単位時間当たりの吐水量も同様に少なくなるため、問題を生じることはない。また、第２下限時間Ｔ２Ｌは第１上限時間Ｔ１Ｕより大きく、かつ、第２下限吐水量Ｖ２Ｌは第１上限吐水量Ｖ１Ｕより大きくなっている。これにより、排泄と入浴とが混同されることがなく、明確に区別して判断される。
【００２９】
排泄、入浴以外の生活活動として、洗濯の場合を検討する。洗濯で水道水が使用されるのは、主に「洗い」と「すすぎ」であり、蛇口は全開にされる。そして、洗濯全体としては、３０分間から６０分間で、７０リットルから１２０リットルの水道水が必要とされる。このうち、「洗い」の場合、水道水の吐水開始から終了までの時間は１分間以上、５分間以下であり、その間の積算吐水量は１５リットル以上、５０リットル以下である。また、「すすぎ」１回分も、「洗い」の場合と同様である。したがって、排泄、及び入浴は、洗濯と確実に区別できることが分かる。また、洗濯以外の生活活動（例えば、洗顔、歯磨き、炊事）の場合を検討すると、いずれも蛇口は全開にされることがほとんどなく、水道水の吐水開始から終了までの使用水量も少ないため、容易に排泄、及び入浴と区別される。
【００３０】
次に、サーバ５の処理手順について、フローチャートを用いて説明する。図５は、管理対象者１の起床時刻を判断、処理するプログラムのフローチャートである。このプログラムは、第１基準時刻ＳＴ１である５時０分経過後であって、起床時刻が未だ決定されていない場合に起動される。ただし、起床時刻は、就寝時刻が決定された時点でクリアされている。プログラムが実行されると、ステップＳ１１において、吐水が開始されたか否かがチェックされる。未だ吐水が開始されていない場合はプログラムが終了される。吐水が開始された場合は、ステップＳ１２において、吐水開始時刻が起床時刻として記憶され、プログラムが終了される。起床時刻が決定されると、このプログラムが実行されることはないため、第１基準時刻ＳＴ１経過後の最初の水道水の吐水開始時刻が管理対象者１の起床時刻とされる。ここで、凍結防止のため僅かに吐水される場合は、凍結防止のための吐水量は０とみなされ、吐水されていないものとして処理される。以下、すべての場合について同様である。
【００３１】
図６は、管理対象者１の就寝時刻を判断、処理するプログラムのフローチャートである。このプログラムは、第２基準時刻ＳＴ２である２０時０分経過後であって、就寝時刻が未だ決定されていない場合に起動される。ただし、就寝時刻は、起床時刻が決定された時点でクリアされている。プログラムが実行されると、ステップＳ２１において、吐水されているか否かがチェックされる。吐水中である場合はプログラムが終了される。吐水が終了されている場合は、ステップＳ２２において、吐水終了後、所定時間である２時間が経過しているか否かがチェックされる。吐水終了後、２時間が経過していない場合はプログラムが終了される。吐水終了後、２時間が経過している場合は、ステップＳ２３において、吐水終了時刻が就寝時刻として記憶され、プログラムが終了される。就寝時刻が決定されると、このプログラムが実行されることはないため、第２基準時刻ＳＴ２経過後であって、吐出終了時刻から吐水されることなく所定時間ＤＴ１以上経過した場合、この吐出終了時刻が管理対象者１の就寝時刻とされる。ただし、第２基準時刻ＳＴ２以降に水道水が吐水されることなく所定時間ＤＴ１以上経過した場合、第２基準時刻ＳＴ２が管理対象者１の就寝時刻とされる。
【００３２】
図７は、管理対象者１の排泄、及び入浴を判断、処理するプログラムのフローチャートである。このプログラムは、吐水が開始された場合に起動される。プログラムが実行されると、ステップＳ３１において、吐水が終了したか否かがチェックされる。吐水中である場合はステップＳ３２において、吐水開始からの時間と積算吐水量が計算され記憶され、プログラムが終了される。すなわち、吐水中である場合は、吐水開始からの時間と積算吐水量が更新されることになる。吐水が終了した場合は、ステップＳ３３において、吐水が排泄によるものであったか否かが判断される。すなわち、吐水開始から終了までの時間が第１下限時間Ｔ１Ｌ（１秒）以上、第１上限時間Ｔ１Ｕ（６０秒）以下であり、かつ、積算吐水量が第１下限吐水量Ｖ１Ｌ（２リットル）以上、第１上限吐水量Ｖ１Ｕ（１５リットル）以下である場合に排泄と判断さる。そして、ステップＳ３４において、吐水開始時刻が排泄時刻として記憶され、プログラムが終了される。
【００３３】
また、排泄と判断されなかった場合、ステップＳ３５において、吐水が入浴によるものであったか否かが判断される。すなわち、吐水開始から終了までの時間が第２下限時間Ｔ２Ｌ（４分）以上、第２上限時間Ｔ２Ｕ（３０分）以下であり、かつ、積算吐水量が第２下限吐水量Ｖ２Ｌ（１００リットル）以上、第２上限吐水量Ｖ２Ｕ（３００リットル）以下である場合に入浴と判断さる。そして、ステップＳ３６において、吐水開始時刻が入浴時刻として記憶され、プログラムが終了される。また、入浴と判断されなかった場合は、吐水は洗濯、洗顔、炊事等の他の生活活動によるものであり、そのままプログラムが終了される。なお、吐水が排泄、入浴、及びその他の生活活動によるものかが判断された後は、次に吐水が開始されるまで、このプログラムが実行されることはない。
【００３４】
図８は、メッセージ送信プログラムのフローチャートである。このメッセージ送信プログラムにより、管理対象者１の健康管理に関するメッセージがサーバ５から情報受信者７の端末８に定期的に送信される。このメッセージが送信される頻度は１日に１回であっても、１週間に１回であってもよい。また、緊急度が増加するにしたがって、メッセージの送信間隔が短くなるようにしてもよい。所定の時刻になると、メッセージ送信プログラムが起動される。プログラムが実行されると、ステップＳ４１において、排泄に関するメッセージが作成、送信される。メッセージが作成される際には、管理対象者１の持病や健康状態が考慮される。このメッセージとしては、「夜中にトイレに１回も起きていません。よく眠れています。」、「夜中にトイレに行く回数が増えてきました。糖尿病が悪化している可能性があります。」等がある。
【００３５】
次に、ステップＳ４２において、入浴に関するメッセージが作成、送信される。この場合においても、管理対象者１の持病や健康状態が考慮される。メッセージとしては、「先週に比べると、風呂の回数が減少しています。体調を崩している可能性があります。」、「１日に風呂に３回も入っています。認知症に注意してください。」等がある。
【００３６】
最後に、ステップＳ４３において、その他のメッセージが作成、送信される。この場合においても、管理対象者１の持病や健康状態が考慮される。メッセージとしては、「起床時刻は毎日ほぼ同じです。規則正しい生活をしています。」、「就寝時刻が遅くなってきています。眠れていないのでしょうか。」等がある。
【００３７】
以上において言及した以外、例えば、一定時間以上水道水が使用されていない場合、水道水が一定時間以上連続して使用されている場合等の緊急時においては、図示しないプログラムにより、所定のメッセージが情報受信者７の端末８に即座に送信されるのはいうまでもない。また、情報受信者７は、常時、管理対象者１の健康管理情報等の閲覧をすることが可能である。
【００３８】
実施形態の健康管理システムにおいては、水道水の吐水開始から終了までの時間が第１下限時間Ｔ１Ｌである１秒以上、第１上限時間Ｔ１Ｕである６０秒以下であり、かつ、水道水の吐水開始から終了までの積算吐水量が第１下限吐水量Ｖ１Ｌである２リットル以上、第１上限吐水量Ｖ１Ｕである１５リットル以下である場合、排泄と判断される。また、水道水の吐水開始から終了までの時間が第２下限時間Ｔ２Ｌである４分以上、第２上限時間Ｔ２Ｕである３０分以下であり、かつ、水道水の吐水開始から終了までの積算吐水量が第２下限吐水量Ｖ２Ｌである１００リットル以上、第２上限吐水量Ｖ２Ｕである３００リットル以下である場合、入浴と判断される。そして、第２下限時間Ｔ２Ｌは第１上限時間Ｔ１Ｕより大きく、かつ、第２下限吐水量Ｖ２Ｌは第１上限吐水量Ｖ１Ｕより大きくなっている。
【００３９】
排泄、入浴のために水道水が連続して使用されている時間と積算吐水量とは上記の範囲内に入っているため、管理対象者１の水道使用データから管理対象者１の排泄、入浴がサーバ５により確実に検知される。そのため、サーバ５は、管理対象者１の排泄や入浴の時間帯や回数の変化を知ることができ、きめ細やかな健康管理情報を作成することができる。さらに、記憶されている管理対象者１の持病や健康状態を参考にしているので、個人個人に対応したきめ細やかな健康管理情報を作成することができる。そして、情報受信者７は、この健康管理情報をサーバ５から受信することができ、管理対象者１の健康状態を詳しく知ることができる。したがって、この健康管理システムによれば、水道使用データに基づいて管理対象者の健康管理をきめ細やかに行うことができる。
【００４０】
さらに、この健康管理システムでは、第１基準時刻ＳＴ１から監視して、最初の水道水の吐水開始時刻を管理対象者１の起床時刻と判断され、第２基準時刻ＳＴ２から監視して、水道水の吐出終了時刻から吐水されることなく所定時間以上経過した場合、吐出終了時刻を管理対象者１の就寝時刻と判断される。そして、第１基準時刻ＳＴ１を４時０分から８時０分までの間の時刻である５時０分、第２基準時刻ＳＴ２を２０時０分から２４時０分までの間の時刻である２０時０分、所定時間を１時間以上、３時間以下である２時間としている。これらの時刻、時間を基準とすれば、多くの人の起床時刻、就寝時刻の判断が可能である。また、起床時刻、就寝時刻の変化や夜中の排泄回数の変化等を知ることができ、よりきめ細やかな健康管理を行うことができる。
【００４１】
さらに、この健康管理システムでは、サーバ５により、管理対象者１の入浴の回数と時間帯、排泄の回数と時間帯、起床時刻、及び就寝時刻の変化の有無に基づくメッセージを情報受信者７の端末８に送信される。そのため、情報受信者７は、管理対象者１の健康状態を詳しく知ることができる。
【００４２】
以上、本発明の健康管理システムを実施形態に即して説明したが、本発明はこれらに制限されるものではなく、本発明の技術的思想に反しない限り、適宜変更して適用できることはいうまでもない。例えば、第１下限時間Ｔ１Ｌを２秒、第１上限時間Ｔ１Ｕを５５秒、第１下限吐水量Ｖ１Ｌを３リットル、第１上限吐水量Ｖ１Ｕを１４リットル、第２下限時間Ｔ２Ｌを５分、第２上限時間Ｔ２Ｕを２８分、第２下限吐水量Ｖ２Ｌを１１０リットル、第１上限吐水量Ｖ２Ｕを２９０リットルとしてもよい。さらに、第１下限時間Ｔ１Ｌを３秒、第１上限時間Ｔ１Ｕを５０秒、第１下限吐水量Ｖ１Ｌを４リットル、第１上限吐水量Ｖ１Ｕを１２リットル、第２下限時間Ｔ２Ｌを６分、第２上限時間Ｔ２Ｕを２６分、第２下限吐水量Ｖ２Ｌを１２０リットル、第１上限吐水量Ｖ２Ｕを２８０リットルとしてもよい。
【符号の説明】
【００４３】
１…管理対象者、２…水道メータ、５…サーバ、７…情報受信者、８…端末、Ｎ１、Ｎ２…ネットワーク、Ｔ１Ｌ…第１下限時間、Ｔ１Ｕ…第１上限時間、Ｖ１Ｌ…第１下限吐水量、Ｖ１Ｕ…第１上限吐水量、Ｔ２Ｌ…第２下限時間、Ｔ２Ｕ…第２上限時間、Ｖ２Ｌ…第２下限吐水量、Ｖ２Ｕ…第２上限吐水量、ＳＴ１…第１基準時刻、ＳＴ２…第２基準時刻、ＤＴ１…所定時間。
【図１】
0006521898.tif 000002
【図２】
0006521898.tif 000003
【図３】
0006521898.tif 000004
【図４】
0006521898.tif 000005
【図５】
0006521898.tif 000006
【図６】
0006521898.tif 000007
【図７】
0006521898.tif 000008
【図８】
0006521898.tif 000009